(57)【要約】【課題】  マクロ撮影モードにおいても警告表示が行なわれるカメラを提供すること。【解決手段】  所定の第１の最至近距離から無限遠までの間の被写体を撮影対象とする通常撮影モードと、第１の最至近距離よりも近距離の第２の最至近距離と所定の最遠距離との間の被写体を撮影対象とするマクロ撮影モードとを有するカメラにおいて、リモコンを用いたマクロ撮影を行なう時にカメラボディ前面にある発光ダイオードを測距装置での測距結果に応じて点滅させる。第２の最至近距離から所定の最遠距離までの撮影距離範囲内にある場合には６２．５ｍｓの点滅周期で発光ダイオードＬＥＤ１〜ＬＥＤ３を点滅させ、非合焦であって近距離警告の表示を行なう場合には１２５ｍｓの点滅周期で発光ダイオードＬＥＤ１〜ＬＥＤ３を点滅させ、遠距離警告の表示を行なう場合には点滅周期２５０ｍｓで発光ダイオードＬＥＤ１〜ＬＥＤ３を点滅させ、相互に異なる態様で発光ダイオードを点滅させる。  【選択図】        図７
2005274987.tif 000002
【特許請求の範囲】
【請求項１】
被写体の撮影を行なうカメラにおいて、
このカメラは、所定の第１の最至近距離から無限遠までの間の被写体を撮影対象とする通常撮影モードと、該第１の最至近距離よりも近距離の第２の最至近距離と所定の最遠距離との間の被写体を撮影対象とするマクロ撮影モードとを有するものであって、
撮影操作に応じて被写体距離を測定する測距装置と、
発光素子と、
前記測距装置による測距結果に応じて前記発光素子の点滅を制御する制御手段とを備え、
前記制御手段は、前記マクロ撮影モードが指定された場合において、前記測距装置による測距結果に応じて、前記第２の最至近距離よりも近距離であるという第１の測距結果と、前記最遠距離よりも遠距離であるという第２の測距結果とを区別した態様で、前記発光素子の点滅を制御するものであることを特徴とするカメラ。
【請求項２】
前記制御手段は、前記マクロ撮影モードにおいて、前記第１の測距結果と前記第２の測距結果とに応じて相互に異なる点滅周期で前記発光素子を点滅させるものであることを特徴とする請求項１記載のカメラ。
【請求項３】
前記制御手段は、前記マクロ撮影モードにおいて、前記第１の測距結果と前記第２の測距結果とに加え、さらに前記測距装置による、前記第２の最至近距離と前記最遠距離との間の距離であるという第３の測距結果に応じて、相互に異なる点滅周期で、前記発光素子を点滅させるものであることを特徴とする請求項２記載のカメラ。
【発明の詳細な説明】
【技術分野】
【０００１】
本発明は、被写体の撮影を行なうカメラに関する。
【背景技術】
【０００２】
カメラには所定の最至近距離から無限遠までの間の被写体を撮影対象とする通常撮影モードに加えて、その通常撮影モードにおける最至近距離よりも近距離の最至近距離と所定の最遠距離との間の被写体を撮影対象とするマクロ撮影モードや撮影者である自分を撮影対象として撮影を行なう自己撮りモードなどを有するカメラがある。
【０００３】
この自己撮り撮影モードやマクロ撮影モードを有するカメラにおいては、所定の撮影距離範囲内にピントが固定されて撮影が行なわれるものがあるが、測距装置を備え、その測距装置での測定結果に基づいてピントが設定されるものも多い。このように測距装置を備えたカメラにおいては、周知の如く、シャッタレリーズの前に撮影者に合焦状態を知らせるための合焦表示用の発光ダイオードが設けられたものがあり（例えば特許文献１、特許文献２参照）、撮影者はこの合焦表示用の発光ダイオードの点灯により合焦であることを確認してから撮影を行なえる。この特許文献１のカメラでは自己撮りを行なう際、撮影者にではなく背景にピントが設定されるようなことが起こることがあるので、そのような場合に非合焦であることを警告として撮影者に対して知らせている。また特許文献１のカメラでは、リモコン撮影の場合であっても、非合焦である場合には、その旨の警告表示を行なえるようにしている。
【０００４】
このような警告の表示を行なって撮影者に失敗のない撮影を行なわせるようにしているが、特許文献１のカメラではマクロ撮影モードが指定されたときに被写体距離が測距装置の測定レンジ外になってしまうため上記のような警告表示が禁止される。
【０００５】
しかし、マクロ撮影モードの撮影距離範囲内にあっても測距を行なえるカメラもあり、その場合に、警告表示が行なわれないと、接写においてもピンボケが生じることが多い。
【特許文献１】特開２００１−２１５６０３号公報
【特許文献２】特開平４−３７１９３８号公報
【発明の開示】
【発明が解決しようとする課題】
【０００６】
本発明は上記問題点を解決し、失敗のないマクロ撮影を行なえるカメラを提供することを目的とするものである。
【課題を解決するための手段】
【０００７】
本発明は、被写体の撮影を行なうカメラにおいて、
このカメラは、所定の第１の最至近距離から無限遠までの間の被写体を撮影対象とする通常撮影モードと、該第１の最至近距離よりも近距離の第２の最至近距離と所定の最遠距離との間の被写体を撮影対象とするマクロ撮影モードとを有するものであって、
撮影操作に応じて被写体距離を測定する測距装置と、
発光素子と、
上記測距装置による測距結果に応じて、上記発光素子の点滅を制御する制御手段とを備え、
上記制御手段は、上記マクロ撮影モードが指定された場合において、上記測距装置による測距結果に応じて、上記第２の最至近距離よりも近距離であるという第１の測距結果と、上記最遠距離よりも遠距離であるという第２の測距結果とを区別した態様で、上記発光素子の点滅を制御するものであることを特徴とする。
【０００８】
上記本発明のカメラによれば、マクロ撮影モードにおいて、上記第１の測距結果、第２の測距結果とを区別した態様で発光素子の点滅が制御されることで、第１の測距結果、第２の測距結果に応じて警告表示が行なわれる。そうすると、上記第２の最至近距離よりも近距離に被写体があることと、上記最遠距離よりも遠距離に被写体があることとが区別され、その区別された表示を頼りにカメラの位置を調整することができる。
【０００９】
ここで、前記制御手段は、前記マクロ撮影モードにおいて、前記第１の測距結果と、前記第２の測距結果とに応じて相互に異なる点滅周期で前記発光素子を点滅させるものであることが好ましく、さらに、前記制御手段は、前記マクロ撮影モードにおいて、前記第２の測距結果に加え、さらに前記測距装置による、前記第２の最至近距離と前記最遠距離との間の距離であるという第３の測距結果に応じて相互に異なる点滅周期で、前記発光素子を点滅させるものであることが望ましい。
【００１０】
このように、撮影者が相互に異なる点滅周期での発光素子の点滅状態に応じて、カメラを構える位置を第３の測距結果が得られる位置に変更することができ、マクロ撮影においてのカメラポジションを発光素子の点滅により撮影者に示唆することができ、マクロ撮影における撮影の失敗がかなり低減される。
【００１１】
また、第１、第２の測距結果は、非合焦を意味するので、これら測距結果が得られたときに、このカメラが撮影を禁止する処理を行なうと、ピントがあわないときには撮影が禁止されるので、フィルムの無駄遣いがなくなり、マクロ撮影における撮影の失敗が減る。
【発明の効果】
【００１２】
以上説明したように、失敗のないマクロ撮影を行なえるカメラを提供することができる。
【発明を実施するための最良の形態】
【００１３】
以下図面を参照して本発明の実施の形態を説明する。
【００１４】
図１はそのカメラの外観を示す図である。
【００１５】
図１（ａ）にはこのカメラ１の正面図が示されており、図１（ｂ）にはこのカメラ１の背面図が示されている。
【００１６】
図１（ａ）に示すカメラ１のカメラボディ１ａの中央にはレンズ鏡胴１０が備えられており、そのレンズ鏡胴１０内には撮影レンズ１０ａが内蔵されている。このレンズ鏡胴１０の上方にはファインダ１１が備えられている。このファインダの部分には測距用の投光窓や受光窓も設けられている。この測距用の投光窓を通して光が被写体に向けて投光され、その投光された光が被写体に当たって戻ってくる光が受光窓を通してカメラ内部の測距回路（以下ＡＦ回路という）に導かれて被写体距離が測定され、また、被写界からの光が測光用の窓を通してカメラ内部の測光回路に導かれ被写界輝度が測定される。カメラボディ１ａ上面部にあるレリーズ釦１３が操作されると、これらのＡＦ回路および測光回路の測定結果に基づいて絞りおよびシャッタ速度が定められてシャッタが駆動されて撮影が行なわれる。そのファインダ部の右横には閃光発光窓１２が備えられており、測光回路での測定の結果、閃光が必要であると判断された場合にはその閃光発光窓１２から閃光が発光されて外界の光だけでは足りない分の光量が確保されて撮影が行なわれる。
【００１７】
また、撮影レンズの左横には縦方向に並んで３つの発光素子ＬＥＤ１〜ＬＥＤ３が設けられており、その発光素子ＬＥＤ１〜ＬＥＤ３の上方にはリモコン受信部１１３ａが設けられている。このカメラ１で例えばリモコン撮影を行なうときなどに点灯、点滅する合焦、非合焦表示用の発光素子ここでは発光ダイオードＬＥＤ１〜ＬＥＤ３が設けられている。このカメラ１の背面側のファインダ１１近傍にはこれら発光ダイオードＬＥＤ１〜ＬＥＤ３と同様に点灯あるいは点滅する発光素子からなるＡＦランプが設けられており、通常はファインダ１１を覗いているときに撮影者に合焦、非合焦であるかを知らせているが、例えばこのカメラ１を撮影者に向けて撮影を行なうとき、あるいはこのカメラでリモコン撮影を行なうときには、これら発光ダイオードＬＥＤ１〜ＬＥＤ３を点灯、あるいは点滅させて合焦、非合焦をこのカメラから離れた位置にいる撮影者に知らせることができるようにもしている。
【００１８】
図１（ｂ）に示すカメラ１の背面には、ファインダ１１の接眼窓が設けられており、その接眼窓の近傍には前述したＡＦランプＬＥＤ４が設けられている。このカメラが備える測距装置による被写体距離の測定結果に応じてそのＡＦランプＬＥＤ４も上記発光ダイオードＬＥＤ１〜ＬＥＤ３と同様に点灯したり消灯したりして合焦であるか、非合焦であるかの表示が行なわれる。そのファインダ１１の下方には、ＬＣＤパネル１９ａが設けられており、そのＬＣＤパネル１９ａ上には撮影モードなどの選択メニューが表示されている。この撮影モードの中には通常撮影モードやマクロ撮影モードなどがあり、これらのモードのうちいずれかがＬＣＤパネル１９ａ下方にある撮影モード設定スイッチ１４によって指定されると、それらのモードのうちいずれかのモードが指定されて撮影が行なわれる。例えば通常撮影モードが撮影モード設定スイッチにより設定されると、所定の第１の最至近距離から無限遠までの間の被写体を撮影対象として撮影が行なわれ、マクロ撮影モードが撮影モード設定スイッチにより指定されたときには、所定の第１の最至近距離よりも近距離の第２の最至近距離と所定の最遠距離との間の被写体を撮影対象として撮影が行なわれる。
【００１９】
また、そのＬＣＤパネル１９ａの周りには他にリモコン／セルフ設定スイッチ１５、電源スイッチ１６が設けられており、電源スイッチが投入されるとこのカメラ１が動作を開始し、リモコン／セルフ設定スイッチ１５によりリモコンが指定されるとリモコン送信機で撮影を行なえるようになり、セルフ側に切り替えられるとセルフタイマ秒後に撮影を行なえるようになる。これらのスイッチの設定内容はＬＣＤパネル１９ａ上に表示され、撮影者に知らされるようになっている。また、カメラの背面のＬＣＤパネル１９ａの右側方には裏蓋スイッチ１７が設けられており、カメラ１内部にフィルムを装填するときにこの裏蓋スイッチ１７が押されて裏蓋が開けられてフィルムが装填されるようになっている。さらにその裏蓋スイッチ１７の上部には、ＴＥＬＥスイッチ１８ａとＷＩＤＥスイッチ１８ｂとからなるズームスイッチ１８が設けられている。
【００２０】
図２は、このカメラ１の内部の構成を示す構成ブロック図である。
【００２１】
このカメラ１の動作はＣＰＵ１００で統括的に制御されるものであり、ＣＰＵ１００が内蔵するＲＯＭ１００ａ内に格納されたプログラムの手順に基づいてこのカメラの動作がＣＰＵ１００により制御される。ＣＰＵ１００はこのカメラの動作を制御している最中に、処理の状況に応じて書き換えられるフラグなどを一時記憶するためのＲＡＭ１００ｂも内蔵しており、このＲＡＭ１００ｂ内に格納されたフラグの内容などに応じてＣＰＵ１００により適宜処理が行なわれる。
【００２２】
このカメラ１に電池が装填されると、その電池から電源回路１０１に電力が供給され、その電源回路１０１を介してＣＰＵ１００に電力が供給される。ここでは電池を含めて電源回路１０１としてあり、電池が装填されたときにＣＰＵ１００に電力が供給されてスイッチ群の中の電源スイッチ１６の操作を待ち受ける構成になっている。なお、この図２では、レリーズスイッチ１３、撮影モード設定スイッチ１４、セルフ／リモコン設定スイッチ１５、電源スイッチ１６、裏蓋スイッチ１７、ズームスイッチ１８などを一まとめにしてスイッチ群１３〜１８と記載してある。このように電池が装填された後、スイッチ群１３〜１８の中の電源スイッチ１６の操作がＣＰＵ１００により検知され、電源回路１０１からの電力が図２に示す各部に供給されてこのカメラに撮影動作を開始させる構成になっている。
【００２３】
まず、このカメラ１の裏蓋が開けられ、このカメラ１内にフィルムが装填され、さらに裏蓋が閉じられたら、図１に示す裏蓋スイッチ１７がオンして、その裏蓋スイッチ１７がオンしたことをＣＰＵ１００が検知する。ＣＰＵ１００は、フィルムが装填されたと認識して、モータドライバ１２０に指示を与えてフィルム給送部１０２にフィルムを給送させて、フィルムの撮影コマを撮影面にセットして、撮影準備を整える。このときには、電源スイッチ１６が投入されたことを受けて、電源回路１０１からの電力がＬＣＤ１９にも供給されているのでＬＣＤパネル１９ａ上に、このカメラが現在どのような状態にあるかを表示させている。例えば、通常撮影モード、マクロ撮影モードのうちのいずれの撮影モードが選択されているかを表示させたり、撮影可能なフィルム枚数を表示させたり、電池の絵を表示して電池の残量を表示させたり、時計回路１０７からの出力信号に基づいて日付を表示させたりしている。
【００２４】
このＬＣＤパネル１９ａ上に表示されている撮影可能なフィルム枚数の残量があることが表示されているときにレリーズスイッチ１３が押下されて撮影が行なわれる。このカメラ１のレリーズスイッチ１３は半押し、全押しの２つの操作態様を有しており、半押し操作時にＣＰＵ１００は測距回路（以下ＡＦ回路という）１０３に被写体距離を測定させ、その測定結果に応じてモータドライバ１２０に指示を出して鏡胴駆動部１０４を駆動させ、レンズ鏡胴１０に内蔵されている撮影レンズ１０ａを合焦点位置に移動させるとともに、測光回路１０５も作動させて被写界輝度を測定する。このＡＦ回路１０３とＡＦ用の投光窓、受光窓などを含めて測距装置が構成される。このときには発光ダイオード群の中の各発光ダイオードＬＥＤ１〜ＬＥＤ３及びＡＦランプＬＥＤ４を点灯あるいは点滅させ、各発光ダイオードを用いて合焦あるいは非合焦の表示を行なっている。さらに全押しされたら、モータドライバ１２０に指示を与えてシャッタ駆動部１０６にシャッタを駆動させ、フィルムに被写界輝度に応じた光量を与えるように露光を開始させる。被写界輝度に応じた所定の露光量になったらモータドライバ１２０に指示を与えてシャッタ駆動部１０６にシャッタを逆駆動させ、撮影を終了させる。これら鏡胴駆動部１０４、フィルム給送部１０２、シャッタ駆動部１０６には、撮影レンズの位置を検出するセンサ、フィルムのパーフォレーションを検出するセンサ、シャッタが開いたことを検出するセンサなどが含まれており、これらのセンサの検出結果をＣＰＵ１００が検出して鏡銅の位置やフィルムの撮影コマの位置やシャッタの開放時間が正確に制御される。撮影が終了したら、ＣＰＵ１００はモータドライバ１２０に指示を与えてフィルム給送部１０２に次の撮影に備えてフィルムを給送させる。次の撮影コマをセットするためにフィルムが給送されている間に時計回路１０７からの出力信号に基づいてデート写し込み部１０８によりその給送されている既撮影コマの所定の領域に撮影日付が写しこまれて撮影が終了する。
【００２５】
また、ＣＰＵ１００は、測光回路１０５の測定結果から閃光が必要とされると判定した場合にはフラッシュ回路１０９から閃光を発光させて撮影を行なう。さらに、図１（ｃ）に示すリモコン送信機１１２で撮影操作が行なわれたときにはリモコン送信機１１２からの信号を、リモコン受信部１１３ａを通してリモコン受信回路１１３により受信してその受信信号に応じてＣＰＵ１００は撮影処理をシャッタ駆動部１０６などに行なわせる。このリモコン送信機１１２により撮影操作が行なわれたときにはレリーズスイッチ１３が押下操作される訳ではないので、リモコン信号が供給されてきた時点を起点として所定の時間例えば２秒後に、ＣＰＵ１００からモータドライバ１２０に指示を与えてシャッタ駆動部１０６にシャッタを駆動させている。このときにはこのカメラが動作していることを撮影者に知らせるため、カメラ前面にある発光ダイオードＬＥＤ１〜ＬＥＤ３を点滅させている。
【００２６】
また、図２に示すＣＰＵ１００は、マクロ撮影モードが指定された場合において、ＡＦ回路１０３を含む測距装置による測距結果に応じて、マクロ撮影モードにおける撮影距離範囲の下限に当たる前述した第２の最至近距離よりも近距離であるという第１の測距結果と、最遠距離よりも遠距離であるという第２の測距結果とを区別した態様で、前記発光素子の点滅を制御するものである。この実施形態のカメラでは、マクロ撮影モードにおいて、第２の測距結果に加え、さらに測距装置による、第２の最至近距離と最遠距離との間の距離であるという第３の測距結果に応じても第１の測距結果に応じた発光素子の点滅周期と、第２の測距結果に応じた発光素子の点滅周期と、相互に異なる点滅周期で、発光素子を点滅させる。
【００２７】
この第３の測距結果は測距装置による被写体距離が合焦であることを意味するので、以降の説明においてはこの第３の測距結果に基づいて発光素子を点滅させるときの表示を合焦表示と記載する。また、上記第１および第２の測距結果は、非合焦を意味するものであって撮影者に警告を促す必要のある測定結果なので、以降の説明においてはこの第１の測距結果に基づいて発光素子を点滅させるときの表示を近距離警告の表示と記載し、第２の測距結果に基づいて発光素子を点滅させるときの表示を遠距離警告の表示と記載する。
【００２８】
なお、このカメラ１には不揮発性のＥＥＰＲＯＭ１１０も配備されており、電源スイッチ１６がオフされた場合、ＲＡＭ１００ｂの内容が消えてしまうので、ＲＡＭ１００ｂに一時記憶されているデータのうち、消えると困るデータを電源オフ時にこのＥＥＰＲＯＭ１１０に退避させ、電源スイッチ１６が再投入されたときにＲＡＭ１００ｂにそのデータを復帰させることができるようにもしてある。またこのカメラ１にはアラーム用のブザー１１１が備えられており、アラームが発生した場合にはブザーを鳴らして警報を発することができるようにもなっている。
【００２９】
ここで、図２に示す発光ダイオード群ＬＥＤ１〜ＬＥＤ３とスイッチ群１３〜１８の構成を詳細に図３に示して発光ダイオードの点灯および点滅動作を説明する。
【００３０】
図３は、制御部であるＣＰＵ１００と図２に示す発光ダイオード群ＬＥＤ１〜ＬＥＤ３とスイッチ群１３〜１８の構成を示す詳細図である。
【００３１】
ここでは、図３を参照してカメラ前面に設けられた３つの発光ダイオードＬＥＤ１〜ＬＥＤ３の点滅、点灯制御を行なうＣＰＵ（制御部）の構成を説明する。なお、図示はしていないがＡＦランプもこれら発光ダイオードと同様に点灯、点滅制御される。
【００３２】
図３に示すＣＰＵ１００の入力端子ＩＮ１〜ＩＮ８には、レリーズスイッチ１３、撮影モード設定スイッチ１４、リモコン／セルフ設定スイッチ１５、電源スイッチ１６、裏蓋スイッチ１７、ズームスイッチ１８のＴＥＬＥ側１８ａ、ズームスイッチのワイド側１８ｂがそれぞれスイッチ路が開放されたまま接続されており、いずれかのスイッチが操作され、その操作されたスイッチが導通すると、ＣＰＵ１００の入力端子のいずれかがハイ状態からロー状態に変化する構成になっている。このカメラ１のレリーズスイッチ１３は半押し、全押し２つの操作態様を持っているので、その半押し時に導通するスイッチＳＰ１、また全押し時に導通するスイッチＳＰ２がそれぞれ設けられている。
【００３３】
ＣＰＵ１００は、これらスイッチＳＰ１，ＳＰ２のうち、半押し時に導通するスイッチＳＰ１がオンしたときに、ＣＰＵ１００の入力端子ＩＮ３がハイレベルからローレベルに変化したことを検知して、ＲＯＭ１１０ａ内の処理手順にしたがって図２に示す各部を適宜作動させて所定の処理を行なう。また、リモコン／セルフ設定スイッチ１５が操作されリモコンが設定されると、ＣＰＵ１００は、ＳＰ１、ＳＰ２の動作を無効にしてリモコン受信回路１１３からの信号に応じてシャッタ駆動部１０６にシャッタを駆動させるようになっている。
【００３４】
一方、ＣＰＵ１００の出力端子ＩＬＥＤ１〜ＩＬＥＤ３には各発光ダイオードＬＥＤ１〜ＬＥＤ３が各トランジスタＴＲ１〜ＴＲ３を介して各接続されており、ＣＰＵ１００は、スイッチＳＰ１、ＳＰ２の状態に応じてこれらトランジスタＴＲ１〜ＴＲ３のベースにローレベル信号を供給してそれらトランジスタＴＲ１〜ＴＲ３をオンさせ発光ダイオードＬＥＤ１〜ＬＥＤ３を点灯させたり、トランジスタＴＲ１〜ＴＲ３のベースにハイレベル信号を供給してトランジスタＴＲ１〜ＴＲ３をオフさせ発光ダイオードＬＥＤ１〜ＬＥＤ３を消灯させたりしている。ＣＰＵ１００は所定の周期のパルス列からなる信号をそれらトランジスタＴＲ１〜ＴＲ３のベースに供給して発光ダイオードＬＥＤ１〜ＬＥＤ３を点滅させることもできる。
【００３５】
このような構成により、レリーズスイッチ１３の半押し、全押しに応じて、またリモコン操作に応じて、各発光ダイオードＬＥＤ１〜ＬＥＤ３の点灯あるいは点滅がＣＰＵ１００により制御される。また、リモコンセルフ設定スイッチ１５をリモコン側に設定して、リモコンを用いて撮影操作を行なうときには、スイッチＳＰ１、スイッチＳＰ２とも導通しないので、ＣＰＵ１００はリモコンから送信されてきた操作信号をリモコン受信回路１１３で受信した時点を起点として、所定の時間（ここでは２秒）後にシャッタを開閉させている。
【００３６】
このときには、図２に示すリモコン受信回路１１３からの受信信号をＣＰＵ１００が検知して、ＡＦ回路を含む測距装置に被写体距離を測定させた後、発光素子を２秒間点滅させ、さらにその後撮影レンズを合焦点に移動させてからシャッタ駆動部１０６にシャッタを駆動させている。
【００３７】
このような構成を持つカメラで、マクロ撮影モードが撮影モード設定スイッチ１４により指定され、リモコン送信機１１２を用いて撮影が行なわれたときのＣＰＵ１００の動作を説明して、ＡＦ回路１０３を含む測距結果に応じて合焦表示、近距離警告の表示、および遠距離警告の表示がどのように行なわれるかを説明する。
【００３８】
リモコン送信機１１２を用いて撮影を行なうときにはカメラ前面の発光素子それぞれが効果を発揮する。この場合、リモコン送信機１１２をカメラ正面斜め側方あるいは正面側から送信することになるので、カメラ前面側に発光ダイオードＬＥＤ１〜ＬＥＤ３があることは非常に都合が良い。このカメラに配備された受信部の受信範囲はカメラ前方を正面として斜め方向に伸びており、このカメラを三脚にセットして被写体とカメラの位置を確認しながら、前方やや斜め方向からリモコン操作を行なってもマクロ撮影などを行なえる。このようにリモコンを用いてマクロ撮影が行なわれるときなどにカメラ前面に設けられた発光ダイオードＬＥＤ１〜ＬＥＤ３により合焦表示、近距離警告の表示、および遠距離警告の表示が行なわれると、撮影者はその表示により合焦、非合焦にすぐ気づく。
【００３９】
まず、リモコンを用いてマクロ撮影が行なわれるときに合焦表示、近距離警告の表示、遠距離警告の表示を、相互に異なる態様で発光ダイオードＬＥＤ１〜ＬＥＤ４に行なわせるＣＰＵ１００の動作を説明する。
【００４０】
図４はリモコン送信機１１２から撮影操作信号が供給されてマクロ撮影を行なうとき、合焦表示を行なう場合にＣＰＵ１００がトランジスタのベースに供給する信号を示す図である。図４（ａ）〜図４（ｃ）にはＣＰＵ１００の出力端子ＩＬＥＤ１〜ＩＬＥＤ３からトランジスタＴＲ１〜ＴＲ３のベースに供給される信号の波形が示されている。
【００４１】
ここではリモコン操作で撮影が行われるので、このカメラがリモコン信号を受け取って撮影を行なっていることを撮影者に示す必要がある。そこで、図４に示すようにＡＦ回路１０３を含む測距装置により第３の測距結果が得られたときには合焦であるので、２秒間、発光素子を６２．５ｍｓの点滅周期（８Ｈｚ）で点滅させて合焦表示を行なっている。ＣＰＵ１００からトランジスタのベースに供給される信号は、ハイレベル状態とローレベル状態とが６２．５ｍｓごとに交互に反転する信号であり、この信号がローレベル状態にあるときには発光ダイオードＬＥＤ１〜ＬＥＤ３が点灯し、ハイレベル状態にあるときには発光ダイオードＬＥＤ１〜ＬＥＤ３が消灯して点滅状態が形成される。リモコン撮影時にはこの２秒間の点滅があることを予め撮影者にマニュアルなどで説明しておき、この２秒間の合焦表示を基準として以降説明する近距離警告の表示、あるいは遠距離警告の表示を行なっている。
【００４２】
図５は近距離警告の表示を行なうときにＣＰＵ１００がトランジスタＴＲ１〜ＴＲ３に供給する信号を示す図、図６は遠距離警告の表示を行なうときにＣＰＵ１００がトランジスタに供給する信号を示す図である。図５（ａ）〜図５（ｃ）および図６（ａ）〜図６（ｃ）は、図４（ａ）〜図４（ｃ）にそれぞれ対応するものである。
【００４３】
ＡＦ回路１０３を含む測距装置による測距結果が第１の測距結果であって近距離警告の表示を行なう場合には、図５に示すように、合焦表示時の６２．５ｍｓよりも長い１２５ｍｓの周期を持つパルス列からなる信号をトランジスタのベースに供給して、１２５ｍｓの点滅周期（４Ｈｚ）で発光ダイオードを点滅させている。また、ＡＦ回路１０３を含む測距装置による測距結果が第２の測距結果であって遠距離警告の表示を行なう場合には、図６に示すように、さらに長い２５０ｍｓの周期を持つパルス列をトランジスタのベースに供給して２５０ｍｓの点滅周期（２Ｈｚ）で発光ダイオードを点滅させている。
【００４４】
このようにＣＰＵ１００は、ＡＦ回路１０３を含む測距装置の測定によって得られた第１、第２、第３の測距結果に応じて相互に異なる点滅周期で発光ダイオードを点滅させて合焦であるか、非合焦であるかを撮影者に知らせており、非合焦にあっては、近距離警告の表示、または遠距離警告の表示を相互に異なる態様で点滅させているので撮影者にとってはピントがどちらにずれているかの判別を行ないやすい。
【００４５】
また、撮影者により異なる態様での表示を印象づけるため、これら表示を行なうときには、合焦であれば６２．５ｍｓの点滅周期で撮影が行なわれるまで発光ダイオードを点滅させ、非合焦であって近距離警告の表示を行なうときにはその６２．５ｍｓの点滅周期よりも長い１２５ｍｓの点滅周期で４回だけ発光ダイオードＬＥＤ１〜ＬＥＤ３を点灯させるようにして点滅させ、さらに非合焦であって遠距離警告の表示を行なうときには、その１２５ｍｓよりも長い２５０ｍｓの点滅周期で４回だけ発光ダイオードＬＥＤ１〜ＬＥＤ３を点灯させるようにして点滅させる。このため、合焦表示のときと、近距離警告の表示のときと、遠距離警告の表示のときとで、撮影者から見て明らかに発光ダイオードＬＥＤ１〜ＬＥＤ３の点滅周期が異なることが印象付けられる。
【００４６】
また、本実施形態のカメラにおいては、ＣＰＵ１００が近距離警告の表示、遠距離警告の表示を、発光素子を点滅させて行なっているときには、ＣＰＵ１００がシャッタ駆動部１０６にシャッタの駆動を行なわせず、撮影を禁止させているのでフィルムが無駄に使用されずに済む。
【００４７】
マクロ撮影においては、小さな被写体を大きく写すので、比較的被写体が静止している場合が多い。さらにリモコンを使用する場合には、三脚にこのカメラ１を固定してその静止している被写体を鮮明に撮影することに重きが置かれる。このように、ファインダ１１を覗かずに三脚に固定したカメラ１で撮影を行なう場合に、リモコン受信部１１３ａと同じ面にある発光ダイオードＬＥＤ１〜ＬＥＤ３が点滅すると、撮影者はその発光素子の点滅状態の変化を視認することで撮影が正常に行なわれたか、あるいは近距離警告の表示あるいは遠距離警告の表示によって撮影が禁止されたかをすぐに判別することができる。
【００４８】
このようにしておくと、撮影の失敗がなくなり、リモコンによるマクロ撮影を確実に行なえる。なおここではマクロ撮影モードを例に挙げたが、通常撮影モードが指定され、リモコン送信機を用いて通常撮影を行なうようなときにも発光ダイオードの点滅が効果を発揮する。ただし、通常撮影モードのときには、近距離の警告の表示を行なうだけで、遠距離の警告の表示は行なわれない。
【００４９】
さらに、リモコン送信機を用いて撮影を行なわない場合においても、カメラ背面側にあるＡＦランプＬＥＤ４をレリーズスイッチ１３の半押しの間、点滅させることで同様の効果が得られる。またレリーズスイッチ１３が一気に全押しされたとしても非合焦時には撮影が禁止されているので、ファインダを覗いて撮影を行なうときにもリモコン撮影のときと同様の効果が得られ、マクロ撮影における撮影の失敗が低減される。
【００５０】
図７は、ＣＰＵ１００が行なう点滅制御の処理手順を示すフローチャートである。
【００５１】
図７にはマクロ撮影モードが指定されて合焦時の点灯表示、および非合焦時の近距離警告の表示および遠距離警告の表示を行なうときのフローチャートが示されている。
【００５２】
このフローの処理はマクロ撮影モードが指定された状態で、リモコン送信機１１２からこのカメラ１に撮影操作信号が供給されたときに開始される。
【００５３】
ステップＳ７０１でリモコン送信機１１２から撮影操作信号がこのカメラ１に供給されたら、発光ダイオードＬＥＤ１〜ＬＥＤ３を点灯させる。ステップＳ７０２でＡＦ回路１０３を含む測距装置に被写体距離を測定させ、その測定結果が所定距離範囲内にあるかどうかを判定する、ここで所定距離範囲内にあり合焦であると判定した場合にはＹ側に進み、ステップＳ７０３で６２．５ｍｓの点滅周期で発光ダイオードＬＥＤ１〜ＬＥＤ３の点滅を開始させるべく、点滅周期用のタイマをスタートさせる。次のステップＳ７０４でリモコン撮影の撮影処理までの時間を与える撮影用タイマーもタイマ値を２秒としてスタートさせる。
【００５４】
次のステップＳ７０５へ進んで、６２．５ｍｓが経過したかどうかを判定し、まだ６２．５ｍｓ経過してなければＮ側に進みステップＳ７０５へ戻って６２．５ｍｓを超えるタイムアウトが発生するまでこのステップＳ７０５を繰り返す。ステップＳ７０５で６２．５ｍｓ経過してタイムアウトが発生したとＣＰＵ１００が判定したら、Ｙ側に進みステップＳ７０６で点滅表示用タイマをリセットする、次のステップＳ７０７で発光ダイオードＬＥＤ１〜ＬＥＤ３が点灯しているかどうかを判定し、点灯していたらＹ側に進みステップＳ７０８で発光ダイオードＬＥＤ１〜ＬＥＤ３を消灯させる。また、ステップＳ７０７で消灯していると判定したらＮ側に進みステップＳ７０９で発光ダイオードＬＥＤ１〜ＬＥＤ３を点灯させる。次のステップＳ７１０へ移行して２秒経過したかどうかを判定し、２秒経過していなければステップＳ７０５へ戻ってステップＳ７０５からステップＳ７１０までの処理を繰り返し行なう。ステップＳ７１０で２秒経過したと判定したらＹ側に進みステップＳ７１１で発光ダイオードＬＥＤ１〜ＬＥＤ３を消灯させ、撮影処理に移行する。
【００５５】
以上が図４に対応する合焦時の発光ダイオードＬＥＤ１〜ＬＥＤ３を点滅させる処理である。
【００５６】
ステップＳ７０２でＡＦ回路１０３を含む測距装置での測定結果が所定距離範囲外であると判定したらＮ側に進み、ステップＳ７２０で近距離警告であるかどうかを判定する。このステップＳ７２０で近距離警告であると判定したら、Ｙ側に進んでステップＳ７２１でＬＥＤ点滅用のタイマのタイマ値を１２５ｍｓにリセットする。またステップＳ７２０で遠距離警告であると判定したらＮ側に進んでステップＳ７２２でＬＥＤ点滅用のタイマのタイマ値を２５０ｍｓにリセットする。次のステップＳ７２３でデクリメント用のカウンタの初期値を７にセットする。
【００５７】
次のステップＳ７２４へ移行して点滅用タイマがタイムアウトしたかどうかを判定する。ここでタイムアウトになっていないと判定したらステップＳ７２４へ戻りステップＳ７２４の処理を繰り返す。このステップＳ７２４で点滅用タイマがタイムアウトしたと判定したら、Ｙ側に進みステップＳ７２５で近距離警告であるかどうかを判定する。近距離警告であればＹ側に進みステップＳ７２６でＬＥＤ点滅用のタイマのタイマ値（１２５ｍｓ）をリセットして、遠距離警告であればＮ側に進みステップＳ７２７でＬＥＤ点滅用のタイマのタイマ値（２５０ｍｓ）をリセットする。次のステップＳ７２８でＬＥＤ点灯中であるかどうかを判定して点灯中であればＹ側に進みステップＳ７２９で発光ダイオードＬＥＤ１〜ＬＥＤ３を消灯させる。また消灯中であればＮ側に進みステップＳ７３０で発光ダイオードＬＥＤを点灯させる。次のステップＳ７３１でカウンタをデクリメントして次のステップＳ７３２でそのデクリメントされたカウンタ値が０になったかどうかを判定する。ここで０になっていなかったらＮ側に進みステップＳ７２４へ戻ってステップＳ７２４からＳ７３２までの処理を繰り返し行なう。このステップＳ７３２でカウンタ値が０になったと判定したら次のステップＳ７３３で発光ダイオードＬＥＤ１〜ＬＥＤ３を消灯させ、このフローの処理を終了する。
【００５８】
以上のような処理を行なって制御部であるＣＰＵ１００によって発光素子の点灯および点滅が制御される。
【００５９】
なお、ここではリモコンによりマクロ撮影を行なう場合の例を挙げたが、ファインダを覗いてマクロ撮影を行なう場合にはＡＦランプＬＥＤ４を同様に点滅させれば同様の効果が得られる。
【００６０】
また、本実施形態では３つの発光素子を一斉に点滅させたが、３つの発光素子をそれぞれ合焦表示用の発光ダイオード、近距離警告の表示用の発光ダイオード、遠距離警告の表示用の発光ダイオードとして区別した態様としても良い。
【図面の簡単な説明】
【００６１】
【図１】カメラの外観を示す図である。
【図２】図１のカメラの内部の構成を示す構成ブロック図である。
【図３】制御部であるＣＰＵ１００と図２に示す発光ダイオード群ＬＥＤ１〜ＬＥＤ３とスイッチ群１３〜１８の構成を示す詳細図である。
【図４】リモコン送信機１１２から撮影操作信号が供給されてマクロ撮影を行なうとき、合焦表示を行なう場合にＣＰＵ１００がトランジスタＴＲ１〜ＴＲ３のベースに供給する信号を示す図である。
【図５】近距離警告の表示を行なうときにＣＰＵ１００がトランジスタＴＲ１〜ＴＲ３に供給する信号を示す図である。
【図６】遠距離警告の表示を行なうときにＣＰＵ１００がトランジスタＴＲ１〜ＴＲ３に供給する信号を示す図である。
【図７】図７は、ＣＰＵ１００が行なう点滅制御の処理手順を示すフローチャートである。
【符号の説明】
【００６２】
１    カメラ
１０    鏡胴
１０ａ    撮影レンズ
１１    ファインダ
１２    閃光発光窓
１３    レリーズスイッチ
１４    撮影モード設定スイッチ
１５    セルフ／リモコン設定スイッチ
１６    電源スイッチ
１７    裏蓋スイッチ
１８    ズームスイッチ
１８ａ    ＴＥＬＥスイッチ
１８ｂ    ＷＩＤＥスイッチ
１９    ＬＣＤ
１９ａ    ＬＣＤパネル
１００    ＣＰＵ
１００ａ    ＲＯＭ
１００ｂ    ＲＡＭ
１０１    電源回路
１０２    フィルム給送部
１０３    ＡＦ回路
１０４    鏡胴駆動部
１０５    測光回路
１０６    シャッタ駆動部
１０７    時計回路
１０８    デート写し込み部
１０９    フラッシュ回路
１１０    ＥＥＰＲＯＭ
１１１    ブザー
１１２    リモコン送信機
１１３    リモコン受信回路
１１３ａ    リモコン受信部
１２０    モータドライバ
【図１】
2005274987.tif 000003
【図２】
2005274987.tif 000004
【図３】
2005274987.tif 000005
【図４】
2005274987.tif 000006
【図５】
2005274987.tif 000007
【図６】
2005274987.tif 000008
【図７】
2005274987.tif 000009